(57)【要約】      （修正有）【課題】海上或いは洋上で使用する浮体住宅、浮体風力発電装置、浮体太陽光発電装置、浮体灯台、浮体都市、浮体人工島等の海上浮体建造物或いは洋上浮体建造物を提供する。【解決手段】底部に海水又は淡水を内在し、前記海水又は前記淡水の上部に空気を内在する浮体部材、例えば、浮体箱体、浮体中空箱体、浮体中空袋体或いは浮体中空膜体と、前記浮体部材の上部に上部浮体構造体を配置すると共に前記浮体部材の下部に海中中空部材、例えば、中空箱体、中空袋体、又は中空膜体を配置し、前記海中中空部材の浮力により前記上部浮体構造体の重量を支えることを特徴とする海上浮体構造物或いは洋上浮体構造物に関する。【選択図】なし【特許請求の範囲】
【請求項１】
底部に海水又は淡水を内在し、前記海水又は前記淡水の上部に空気を内在する浮体部材（例えば、浮体箱体、浮体中空箱体、浮体中空袋体或いは浮体中空膜体）と、前記浮体部材の上部に上部構造体を有すると共に前記浮体部材の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする海上浮体構造物或いは洋上浮体構造物
【請求項２】
海水又は淡水を内在するブロック状浮体部材（例えば、ブロック状浮体箱体、ブロック状浮体中空箱体、ブロック状浮体中空袋体或いはブロック状浮体中空膜体）と、前記ブロック状浮体部材の多数により構成され多数浮体部材と、前記多数浮体部材の上部に上部構造体を有すると共に前記多数浮体部材の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする請求項１記載の海上浮体構造物或いは洋上浮体構造物
【請求項３】
底部に海水又は淡水を内在し、前記海水又は前記淡水の上部に空気を内在する浮体部材（例えば、浮体中空箱体、浮体中空袋体或いは浮体中空膜体）と、前記浮体部材の下端部と接触する下端部接触部材を有すると共に前記浮体部材の周辺部により貫通される上部貫通管を有する海中構造物と、前記浮体部材の上部に上部構造体を有すると共に前記上部貫通管の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする海上浮体構造物或いは洋上浮体構造物
【請求項４】
海水又は淡水を内在するブロック状浮体部材（例えば、ブロック状浮体箱体、ブロック状浮体中空箱体、ブロック状浮体中空袋体或いはブロック状浮体中空膜体）と、前記ブロック状浮体部材の多数により構成され多数浮体部材と、前記多数浮体部材の下端部と接触する下端部接触部材を有すると共に前記多数浮体部材の周辺部により貫通される上部貫通管を有する海中構造物と、前記多数浮体部材の上部に上部構造体を有すると共に前記上部貫通管の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする請求項３記載の海上浮体構造物或いは洋上浮体構造物
【請求項５】
ブロック状中央浮体部材と、前記ブロック状中央浮体部材の周辺部により貫通される開口を有し複数に分割された小さな環状ブロック状浮体部材と、前記小さな環状ブロック状浮体部材の周囲部により貫通される開口を有し複数に分割された大きな環状ブロック状浮体部材で前記多数浮体部材を構成すること特徴とする請求項２或いは請求項４記載の海上浮体構造物或いは洋上浮体構造物
【請求項６】
ブロック状中央浮体部材と、前記ブロック状中央浮体部材の周辺部により貫通される開口を有し複数に分割された小さな環状ブロック状浮体部材と、前記小さな環状ブロック状浮体部材の周辺部により貫通される開口を有し複数に分割された大きな環状ブロック状浮体部材と、前記大きな環状ブロック状浮体部材の周辺部により貫通される開口を有し複数に分割された更に大きな環状ブロック状浮体部材を配置することを繰り返すことにより多数浮体部材を構成することを特徴とする請求項５記載の海上浮体構造物或いは洋上浮体構造物
【請求項７】
整数の二乗個の正方形或いは複数個の正方形で構成される正方形或いは長方形のブロック状中央浮体部材と、前記ブロック状中央浮体部材の周辺部により貫通される開口を有し複数個の正方形で構成される前記小さな環状ブロック状浮体部材、前記大きな環状ブロック状浮体部或いは前記小さな環状ブロック状浮体部材、前記大きな環状ブロック状浮体部材、前記更に大きな環状ブロック状浮体部材により前記多数浮体部材を構成することを特徴とする請求項５或いは請求項６記載の海上浮体構造物或いは洋上浮体構造物
【請求項８】
前記ブロック状中央浮体部材は円柱であり、小さな環状ブロック状浮体部材と大きな環状ブロック状浮体部材は同心円の環状円柱を一定の角度で分割したブロック環状円柱であることを特徴とする請求項５記載の海上浮体構造物或いは洋上浮体構造物
【請求項９】
前記ブロック環状円柱は円柱の直形が大きくなると一定の角度を小さくし小さなブロック環状円柱の外形の外側に同じ内径を有する大きなブロック環状円柱を配置することにより浮体部材を構成することを特徴とする請求項５記載の海上浮体構造物或いは洋上浮体構造物
【請求項１０】
小さなブロック環状円柱の外形の外側に同じ内径を有する大きなブロック環状円柱を配置することを繰り返すことにより大規模多数海上浮体周辺部材を構成することを特徴とする請求項６記載の海上浮体構造物或いは洋上浮体構造物
【請求項１１】
底部に淡水を内在し、前記淡水の上部に空気を内在する浮体部材（例えば、浮体箱体、浮体中空箱体、浮体中空袋体或いは浮体中空膜体）と、前記浮体部材の上部に上部構造体を有すると共に海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする海上浮体構造物或いは洋上浮体構造物
【請求項１２】
少なくとも上端部の一部に開口を有し底部に海水又は淡水を内在すると共に前記海水又は前記淡水の上部に空気を内在する容器状浮体部材（例えば、容器状浮体箱体、或いは容器状浮体膜体）と、前記容器状浮体部材の上端部と接触する上端部接触部材と上部に上部構造体を有すると共に前記容器状浮体部材の周辺部により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする海上浮体構造物或いは洋上浮体構造物
【請求項１３】
少なくとも上端部の一部に開口を有し底部に海水又は淡水を内在すると共に前記海水又は前記淡水の上部に空気を内在するブロック状容器状浮体部材（例えば、容器状浮体箱体、或いは容器状浮体膜体）と、前記ブロック状容器状浮体部材の多数により構成され多数容器状浮体部材と、前記多数容器状浮体部材の上端部と接触する上端部接触部材と上部に上部構造体を有すると共に前記多数容器状浮体部材の周辺部により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする海上浮体構造物或いは洋上浮体構造物
【請求項１４】
ブロック状中央容器状浮体部材と、前記ブロック状中央容器状浮体部材の周辺部により貫通される開口を有し複数に分割された小さな環状ブロック状容器状浮体部材と、前記小さな環状ブロック状容器状浮体部材の周囲部により貫通される開口を有し複数に分割された大きな環状ブロック状容器状浮体部材で前記多数容器状浮体部材を構成すること特徴とする請求項１３記載の海上浮体構造物或いは洋上浮体構造物
【請求項１５】
ブロック状中央容器状浮体部材と、前記ブロック状中央容器状浮体部材の周辺部により貫通される開口を有し複数に分割された小さな環状ブロック状容器状浮体部材と、前記小さな環状ブロック状容器状浮体部材の周辺部により貫通される開口を有し複数に分割された大きな環状ブロック状容器状浮体部材と、前記大きな環状ブロック状容器状浮体部材の周辺部により貫通される開口を有する更に大きな環状ブロック状容器状浮体部材を配置することを繰り返すことにより多数浮体部材を構成することを特徴とする請求項１４記載の海上浮体構造物或いは洋上浮体構造物
【請求項１６】
整数の二乗個の正方形或いは複数個の正方形で構成される正方形或いは長方形のブロック状中央容器状浮体部材と、前記ブロック状中央容器状浮体部材の周辺部により貫通される開口を有し複数個の正方形で構成される前記小さな環状ブロック状容器状浮体部材、前記大きな環状ブロック状容器状浮体部材或いは複数個の正方形で構成される前記小さな環状ブロック状容器状浮体部材、前記大きな環状ブロック状容器状浮体部材、前記更に大きな環状ブロック状容器状浮体部材により前記多数浮体部材を構成することを特徴とする請求項１４或いは請求項１５記載の海上浮体構造物或いは洋上浮体構造物
【請求項１７】
前記ブロック状中央容器状浮体部材は円柱であり、小さな環状ブロック状容器状浮体部材と大きな環状ブロック状容器状浮体部材は同心円の環状円柱を一定の角度で分割したブロック環状円柱であることを特徴とする請求項１４記載の海上浮体構造物或いは洋上浮体構造物
【請求項１８】
前記ブロック環状円柱は円柱の直形が大きくなると一定の角度を小さくし小さなブロック環状円柱の外形の外側に同じ内径を有する大きなブロック環状円柱を配置することにより多数容器状浮体部材を構成することを特徴とする請求項１７記載の海上浮体構造物或いは洋上浮体構造物
【請求項１９】
小さなブロック環状円柱の外形の外側に同じ内径を有する大きなブロック環状円柱を配置することを繰り返すことによりを多数容器状浮体部材を構成することを特徴とする請求項１７記載の海上浮体構造物或いは洋上浮体構造物
【請求項２０】
底部に淡水を内在し、前記淡水の上部に空気を内在する浮体部材（例えば、浮体箱体、浮体中空箱体、浮体中空袋体或いは浮体中空膜体）と、前記浮体部材の上部に上部構造体を有すると共に海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）と、前記浮体部材の前記淡水をくみ上げる手段を具備し、前記海中中空部材の浮力により前記上部貫通部材を介して前記上部浮体構造体の重量を支えることを特徴とし、海上浮体住宅或いは洋上浮体住宅を構成する海上浮体構造物或いは洋上浮体構造物
【請求項２１】
底部に淡水を内在し、前記淡水の上部に空気を内在するブロック状浮体部材（例えば、浮体箱体、浮体中空箱体、浮体中空袋体或いは浮体中空膜体）と、前記ブッロク状浮体部材の多数で構成された多数浮体部材と、前記多数浮体部材の上部に上部構造体を有すると共に海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）と、前記多数浮体部材の前記淡水をくみ上げる手段を具備し、前記海中中空部材の浮力により前記上部貫通部材を介して前記上部浮体構造体の重量を支えることを特徴とし、海上浮体人工島、海上浮体都市、洋上浮体人工島或いは洋上浮体都市を構成する海上浮体構造物或いは洋上浮体構造物
【請求項２２】
海中に通ずる垂直開口を具備する浮体周辺部材（例えば、浮体周辺箱体、浮体周辺中空箱体、浮体周辺中空袋体或いは浮体周辺中空膜体）と、前記浮体周辺部材の上部に位置する上部構造体を有すると共に前記浮体周辺部材の周辺を貫通する下部貫通部材を有する上部浮体構造体と、前記垂直開口を貫通する上部貫通部材を具備すると共に前記垂直開口より大きな外形を有する下部中空部材を具備する海中中空部材（例えば海中中空箱体、海中中空袋体、或いは海中中空膜体）とを備え、前記海中中空部材の前記上部貫通部材を介して前記海中中空部材の浮力により前記上部浮体構造体の重量を支えることを特徴とする海上浮体構造物或いは洋上浮体構造物
【請求項２３】
ブロック状浮体周辺部材（例えば、浮体周辺箱体、浮体周辺中空箱体、浮体周辺中空袋体或いは浮体周辺中空膜体）と、前記ブロック状浮体周辺部材の多数により構成され海中に通ずる垂直開口を具備する多数浮体周辺部材と、前記多数浮体周辺部材の上部に位置する上部構造体を有すると共に前記多数浮体周辺部材の周辺部を貫通する下部貫通部材を有する上部浮体構造体と、前記垂直開口を貫通する上部貫通部材を具備すると共に前記垂直開口より大きな外形を有する下部中空部材を具備する海中中空部材（例えば海中中空箱体、海中中空袋体、或いは海中中空膜体）とを備え、前記海中中空部材の前記上部貫通部材を介して前記海中中空部材の浮力より前記上部浮体構造体の重量を支えることを特徴とする海上浮体構造物或いは洋上浮体構造物
【請求項２４】
海中に通ずる垂直開口を具備する複数に分割された小さな環状ブロック状浮体周辺部材と、前記小さな環状ブロック状浮体周辺部材の周囲部により貫通される開口を有し複数に分割された大きな環状ブロック状浮体周辺部材で前記多数周辺浮体部材を構成すること特徴とする請求項２３記載の海上浮体構造物或いは洋上浮体構造物
【請求項２５】
海中に通ずる垂直開口を具備する複数に分割された小さな環状ブロック状浮体周辺部材と、前記小さな環状ブロック状浮体周辺部材の周辺部により貫通される開口を有し複数に分割された大きな環状ブロック状浮体周辺部材と、前記大きな環状ブロック状浮体周辺部材の周辺部により貫通される開口を有する更に大きな環状ブロック状浮体周辺部材を配置することを繰り返すことにより多数海上浮体部材を構成することを特徴とする請求項２３記載の海上浮体構造物或いは洋上浮体構造物
【請求項２６】
海中に通ずる垂直開口を具備する複数個の正方形で構成された小さな環状ブロック状浮体周辺部材と、前記小さな環状ブロック状浮体周辺部材の周辺部により貫通される開口を有する前記大きな環状ブロック状浮体周辺部材或いは複数個の正方形で構成される前記小さな環状ブロック状浮体周辺部材、前記大きな環状ブロック状浮体周辺部材、前記更に大きな環状ブロック状海上浮体周辺部材により前記多数海上浮体部材を構成することを特徴とする請求項２４或いは請求項２５記載の海上浮体構造物或いは洋上浮体構造物
【請求項２７】
前記環状ブロック状浮体周辺部材は同心円の環状円柱を一定の角度で分割したブロック状環状円柱であることを特徴とする請求項２３記載の海上浮体構造物或いは洋上浮体構造物
【請求項２８】
前記ブロック状環状円柱は円柱の直径が大きくなると一定の角度を小さくし小さなブロック環状円柱の外形の外側に同じ内径を有する大きなブロック状環状円柱を配置することにより多数浮体周辺部材を構成することを特徴とする請求項２４記載の海上浮体構造物或いは洋上浮体構造物
【請求項２９】
小さなブロック環状円柱の外形の外側に同じ内径を有する大きなブロック環状円柱を配置することを繰り返すことにより大規模多数浮体周辺部材を構成することを特徴とする請求項２５記載の海上浮体構造物或いは洋上浮体構造物
【請求項３０】
海中に通ずる垂直開口を具備する浮体周辺部材（例えば、浮体周辺箱体、浮体周辺中空箱体、浮体周辺中空袋体或いは浮体周辺中空膜体）と、前記浮体周辺部材の上部に位置する上部構造体を有すると共に前記浮体周辺部材の周辺部を貫通する下部貫通部材を有する上部浮体構造体と、前記垂直開口を貫通する上部貫通部材を具備すると共に前記垂直開口より大きな外形を有し底部に淡水を内在し前記淡水の上部に空気を内在する下部中空部材を具備する海中中空部材（例えば海中中空箱体、海中中空袋体、或いは海中中空膜体）と、前記海中中空部材の前記淡水をくみ上げる手段を具備し、前記海中中空部材の前記上部貫通部材を介して前記海中中空部材の浮力により前記上部浮体構造体を支えることを特徴とし、海上浮体住宅或いは洋上浮体住宅を構成する海上浮体構造物或いは洋上浮体構造物
【請求項３１】
ブロック状浮体周辺部材（例えば、浮体周辺箱体、浮体周辺中空箱体、浮体周辺中空袋体或いは浮体周辺中空膜体）と、前記ブロック状浮体周辺部材の多数により構成され海中に通ずる垂直開口を具備する多数浮体周辺部材と、前記多数浮体周辺部材の上部に位置する上部構造体を有すると共に前記多数浮体周辺部材の周辺部を貫通する下部貫通部材を有する上部浮体構造体と、前記垂直開口を貫通する上部貫通部材を具備すると共に前記垂直開口より大きな外形を有し底部に淡水を内在し前記淡水の上部に空気を内在する下部中空部材を具備する海中中空部材（例えば海中中空箱体、海中中空袋体、或いは海中中空膜体）と、前記海中中空部材の前記淡水をくみ上げる手段を具備し、前記海中中空部材の前記上部貫通部材を介して前記海中中空部材の浮力により前記上部浮体構造体を支えることを特徴とし、海上浮体人工島、海上浮体都市、洋上浮体人工島或いは洋上浮体都市を構成する海上浮体構造物或いは洋上浮体構造物
【請求項３２】
底部に淡水或いは海水を内在し、前記淡水或いは前記海水の上部に空気を内在する浮体部材（例えば、浮体箱体、浮体中空箱体、浮体中空袋体或いは浮体中空膜体）と、風車を有する風力発電装置を前記浮体部材の上部に備えると共に海中の一定の深さまで垂直開口を有する海中下部貫通管を備えた風力発電浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記風力発電浮体構造体の重量を支えることを特徴する海上浮体構造物或いは洋上浮体構造物
【請求項３３】
海中に通ずる垂直開口を具備する浮体周辺部材（例えば、浮体周辺箱体、浮体周辺中空箱体、浮体周辺中空袋体或いは浮体周辺中空膜体）と、前記浮体周辺部材の上部に位置し風車を有する風力発電装置を備えると共に前記浮体周辺部材の周辺部を貫通する下部貫通部材を有する風力発電浮体構造体と、前記垂直開口を貫通する上部貫通部材を具備すると共に前記垂直開口より大きな外形を有する下部中空部材を具備する海中中空部材（例えば海中中空箱体、海中中空袋体、或いは海中中空膜体）と、前記海中中空部材の前記上部貫通部材を介して前記海中中空部材の浮力により前記風力発電浮体構造体を支えることを特徴とする海上浮体構造物或いは洋上浮体構造物
【請求項３４】
底部に淡水を内在し前記淡水の上部に空気を内在する円柱形浮体部材（例えば、円柱形浮体中空箱体、円柱形浮体中空袋体或いは円柱形浮体中空膜体）と、最上部開口を有する上部球形ドームと前記最上部開口に取り付けられた海上と平行に回転する風車を有する風力発電装置を前記円柱形浮体部材の上部に備えると共に前記円柱形浮体部材の周囲により貫通され海中の一定の深さまで垂直開口を有する海中下部貫通管を備えた風力発電浮体構造体と、前記海中下部貫通管を海中で貫通する上部貫通部材を有すると共に下部に下部中空部材を備えた海中中空部材（例えば、中空箱体、中空袋体、又は中空膜体）とが前記円柱形浮体部材の上下に備えられ、前記海中中空部材の浮力により前記上部貫通部材を介して前記風力発電浮体構造体の重量を支えることを特徴とし、風力発電浮体構造物を構成する海上浮体構造物或いは洋上浮体構造物
【請求項３５】
底部に淡水を内在し、前記淡水の上部に空気を内在する円柱形浮体部材（例えば、円柱形浮体中空箱体、円柱形浮体中空袋体或いは円柱形円柱形浮体中空膜体）と、前記円柱形浮体部材の下端部と接触する下端部接触部材を有すると共に前記円柱形浮体部材の周辺部により貫通される上部貫通管を有する海中構造物と、中心部に中心部開口を有する上部水平天井部を備えた下部部分円錐形ドームと前記中心部開口に取り付けられ海上と平行に回転する風車を有する風力発電装置を前記円柱形浮体部材の上部に備える共に前記上部貫通管の周囲により貫通され海中の一定の深さまで垂直開口を有する海中下部貫通管を備えた風力発電浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記風力発電浮体構造体の重量を支えることを特徴とし、風力発電浮体構造を構成する海上浮体構造物或いは洋上浮体構造物
【請求項３６】
底部に淡水を内在し、前記淡水の上部に空気を内在する円柱形浮体部材（例えば、円柱形浮体中空箱体、円柱形浮体中空袋体或いは円柱形浮体中空膜体）と、最上部開口を有すると共に両端部に切り欠き部を有する上半部球形ドーム風洞と前記上半部球形ドーム風洞内で前記最上部開口に取り付けられた海上と垂直に回転する風車を有する風力発電装置を前記円柱形浮体部材の上部に備えると共に前記円柱形浮体部材の周囲により貫通され海中の一定の深さまで垂直開口を有する海中下部貫通管を備えた風力発電浮体構造体と、前記海中下部貫通管を海中で貫通する上部貫通部材を有すると共に下部に下部中空部材を備えた海中中空部材（例えば、中空箱体、中空袋体、又は中空膜体）とが前記円柱形浮体部材の上下に備えられ、前記海中中空部材の浮力により前記上部貫通部材を介して前記風力発電浮体構造体の重量を支えることを特徴とし、風力発電浮体構造物を構成する海上浮体構造物或いは洋上浮体構造物
【請求項３７】
前記上部球形ドームの前記最上部開口を除外した上部球形ドーム外部に太陽電池パネルを取り付けたことを特徴とする請求項３４記載の海上浮体構造物或いは洋上浮体構造物
【請求項３８】
前記中心部開口を有する上部水平天井部を備えた前記下部一部円錐形ドームの前記中心部開口を除外した前記上部水平天井部、前記下部一部円錐形ドームの外部に太陽電池パネルを取り付けたことを特徴とする請求項３５記載の海上浮体構造物或いは洋上浮体構造物
【請求項３９】
前記上半球形ドームの前記最上部開口を除外した前記上半球形ドーム外部に太陽電池パネルを取り付けたことを特徴とする請求項３６記載の海上浮体構造体
【請求項４０】
前記上部浮体構造体の上部の一部がに土で構成された農地で構成することを特徴とする請求項２０、請求項２１、請求項３０、或いは請求項３１記載の海上浮体構造物或いは洋上浮体構造物
【請求項４１】
前記上部浮体構造体の上部の一部が植物育成床で構成することを特徴とする請求項２０、請求項２１、請求項３０或いは請求項３２記載の海上浮体構造物或いは洋上浮体構造物
【請求項４２】
前記浮体部材、前記多数浮体部材、前記容器状浮体部材、前記容器状多数浮体部材、前記浮体周辺部材、前記多数浮体周辺部材或いは前記円柱状浮体部材が津波を防止するための高さを有することを特徴とする前記請求項記載の海上浮体構造物或いは洋上浮体構造物
【発明の詳細な説明】
【技術分野】
【０００１】
本発明は海上或いは洋上の浮体住宅、海上或いは洋上の浮体風力発電装置、海上或いは洋上の浮体太陽光発電装置、海上或いは洋上の浮体灯台、海上或いは洋上の浮体都市、海上或いは洋上の浮体人工島等の海上浮体建造物或いは洋上浮体建造物を提供することを目的とする。
なお海上浮体建造物とは領域内の海上の浮体建造物、洋上浮体建造物とは公海上の浮体建造物を意味する。
【背景技術】
【０００２】
従来、淡水の比重が海水より小さいことを利用して海中淡水貯蔵施設（特開２００３−２９１８８７）、貯水システム及び輸送システム（特開2004−156283）等の発明は提案されている。
【先行技術文献】
【特許文献】
【０００３】
【特許文献１】特開２００３−２９１８８７
【特許文献２】特開２００４−１５６２８３
【発明の概要】
【発明が解決しようとする課題】
【０００４】
本発明は底部に海水又は淡水を内在し、前記海水又は前記淡水の上部に空気を内在する浮体部材（例えば、浮体箱体、浮体中空箱体、浮体中空袋体或いは浮体中空膜体）と、前記浮体部材の上部に上部浮体構造体を配置すると共に前記浮体部材の下部に海中中空部材（例えば、中空箱体、中空袋体、又は中空膜体）を配置し、前記海中中空部材の浮力により前記上部浮体構造体の重量を支えることを特徴とする海上浮体構造物或いは洋上浮体構造物に関する。
請求項１記載の海上浮体構造物或いは洋上浮体構造物は、前記浮体部材の上部に上部構造体を有すると共に前記浮体部材の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする。
請求項２の海上浮体構造物或いは洋上浮体構造物は、海水又は淡水を内在するブロック状浮体部材（例えば、ブロック状浮体箱体、ブロック状浮体中空箱体、ブロック状浮体中空袋体或いはブロック状浮体中空膜体）と、前記ブロック状浮体部材の多数により構成され多数浮体部材と、前記多数浮体部材の上部に上部構造体を有すると共に前記多数浮体部材の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする請求項１記載の海上浮体構造物或いは洋上浮体構造物である。
請求項３の海上浮体構造物或いは洋上浮体構造物は、底部に海水又は淡水を内在し、前記海水又は前記淡水の上部に空気を内在する浮体部材（例えば、浮体中空箱体、浮体中空袋体或いは浮体中空膜体）と、前記浮体部材の下端部と接触する下端部接触部材を有すると共に前記浮体部材の周辺部により貫通される上部貫通管を有する海中構造物と、前記浮体部材の上部に上部構造体を有すると共に前記上部貫通管の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする。
請求項４記載の海上浮体構造物或いは洋上浮体構造物は、海水又は淡水を内在するブロック状浮体部材（例えば、ブロック状浮体箱体、ブロック状浮体中空箱体、ブロック状浮体中空袋体或いはブロック状浮体中空膜体）と、前記ブロック状浮体部材の多数により構成され多数浮体部材と、前記多数浮体部材の下端部と接触する下端部接触部材を有すると共に前記多数浮体部材の周辺部により貫通される上部貫通管を有する海中構造物と、前記多数浮体部材の上部に上部構造体を有すると共に前記上部貫通管の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする請求項３記載の海上浮体構造物或いは洋上浮体構造物である。
請求項５記載の海上浮体構造物或いは洋上浮体構造物は、ブロック状中央浮体部材と、前記ブロック状中央浮体部材の周辺部により貫通される開口を有し複数に分割された小さな環状ブロック状浮体部材と、前記小さな環状ブロック状浮体部材の周囲部により貫通される開口を有し複数に分割された大きな環状ブロック状浮体部材で前記多数浮体部材を構成すること特徴とする請求項２或いは請求項４記載の海上浮体構造物或いは洋上浮体構造物である。
請求項６記載の海上浮体構造物或いは洋上浮体構造物は、ブロック状中央浮体部材と、前記ブロック状中央浮体部材の周辺部により貫通される開口を有し複数に分割された小さな環状ブロック状浮体部材と、前記小さな環状ブロック状浮体部材の周辺部により貫通される開口を有し複数に分割された大きな環状ブロック状浮体部材と、前記大きな環状ブロック状浮体部材の周辺部により貫通される開口を有し複数に分割された更に大きな環状ブロック状浮体部材を配置することを繰り返すことにより多数浮体部材を構成することを特徴とする請求項５記載の海上浮体構造物或いは洋上浮体構造物である。
請求項７記載の海上浮体構造物或いは洋上浮体構造物は、整数の二乗個の正方形或いは複数個の正方形で構成される正方形或いは長方形のブロック状中央浮体部材と、前記ブロック状中央浮体部材の周辺部により貫通される開口を有し複数個の正方形で構成される前記小さな環状ブロック状浮体部材、前記大きな環状ブロック状浮体部材或いは前記小さな環状ブロック状浮体部材、前記大きな環状ブロック状浮体部材、前記更に大きな環状ブロック状浮体部材により前記多数浮体部材を構成することを特徴とする請求項５或いは請求項６記載の海上浮体構造物或いは洋上浮体構造物である。
請求項８記載の海上浮体構造物或いは洋上浮体構造物は、前記ブロック状中央浮体部材は円柱であり、小さな環状ブロック状浮体部材と大きな環状ブロック状浮体部材は同心円の環状円柱を一定の角度で分割したブロック環状円柱であることを特徴とする請求項５記載の海上浮体構造物或いは洋上浮体構造物である。
請求項９記載の海上浮体構造物或いは洋上浮体構造物は、前記ブロック環状円柱は円柱の直形が大きくなると一定の角度を小さくし小さなブロック環状円柱の外形の外側に同じ内径を有する大きなブロック環状円柱を配置することにより浮体部材を構成することを特徴とする請求項５記載の海上浮体構造物或いは洋上浮体構造物である。
請求項１０記載の海上浮体構造物或いは洋上浮体構造物は、小さなブロック環状円柱の外形の外側に同じ内径を有する大きなブロック環状円柱を配置することを繰り返すことにより大規模多数海上浮体周辺部材を構成することを特徴とする請求項６記載の海上浮体構造物或いは洋上浮体構造物である。
請求項１１記載の海上浮体構造物或いは洋上浮体構造物は、底部に淡水を内在し、前記淡水の上部に空気を内在する浮体部材（例えば、浮体箱体、浮体中空箱体、浮体中空袋体或いは浮体中空膜体）と、前記浮体部材の上部に上部構造体を有すると共に海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする。
請求項１２記載の海上浮体構造物或いは洋上浮体構造物は、少なくとも上端部の一部に開口を有し底部に海水又は淡水を内在すると共に前記海水又は前記淡水の上部に空気を内在する容器状浮体部材（例えば、容器状浮体箱体、或いは容器状浮体膜体）と、前記容器状浮体部材の上端部と接触する上端部接触部材と上部に上部構造体を有すると共に前記容器状浮体部材の周辺部により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする。
請求項１３記載の海上浮体構造物或いは洋上浮体構造物は、少なくとも上端部の一部に開口を有し底部に海水又は淡水を内在すると共に前記海水又は前記淡水の上部に空気を内在するブロック状容器状浮体部材（例えば、容器状浮体箱体、或いは容器状浮体膜体）と、前記ブロック状容器状浮体部材の多数により構成され多数容器状浮体部材と、前記多数容器状浮体部材の上端部と接触する上端部接触部材と上部に上部構造体を有すると共に前記多数容器状浮体部材の周辺部により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支えることを特徴とする。
請求項１４記載の海上浮体構造物或いは洋上浮体構造物は、ブロック状中央容器状浮体部材と、前記ブロック状中央容器状浮体部材の周辺部により貫通される開口を有し複数に分割された小さな環状ブロック状容器状浮体部材と、前記小さな環状ブロック状容器状浮体部材の周囲部により貫通される開口を有し複数に分割された大きな環状ブロック状容器状浮体部材で前記多数容器状浮体部材を構成すること特徴とする請求項１３記載の海上浮体構造物或いは洋上浮体構造物である。
請求項１５記載の海上浮体構造物或いは洋上浮体構造物は、ブロック状中央容器状浮体部材と、前記ブロック状中央容器状浮体部材の周辺部により貫通される開口を有し複数に分割された小さな環状ブロック状容器状浮体部材と、前記小さな環状ブロック状容器状浮体部材の周辺部により貫通される開口を有し複数に分割された大きな環状ブロック状容器状浮体部材と、前記大きな環状ブロック状容器状浮体部材の周辺部により貫通される開口を有する更に大きな環状ブロック状容器状浮体部材を配置することを繰り返すことにより多数浮体部材を構成することを特徴とする請求項１４記載の海上浮体構造物或いは洋上浮体構造物である。
請求項１６記載海上浮体構造物或いは洋上浮体構造物は、整数の二乗個の正方形或いは複数個の正方形で構成される正方形或いは長方形のブロック状中央容器状浮体部材と、前記ブロック状中央容器状浮体部材の周辺部により貫通される開口を有し複数個の正方形で構成される前記小さな環状ブロック状容器状浮体部材、前記大きな環状ブロック状容器状浮体部材或いは複数個の正方形で構成される前記小さな環状ブロック状容器状浮体部材、前記大きな環状ブロック状容器状浮体部材、前記更に大きな環状ブロック状容器状浮体部材により前記多数浮体部材を構成することを特徴とする請求項１４或いは請求項１５記載の海上浮体構造物或いは洋上浮体構造物である。
請求項１７記載海上浮体構造物或いは洋上浮体構造物は、前記ブロック状中央容器状浮体部材は円柱であり、小さな環状ブロック状容器状浮体部材と大きな環状ブロック状容器状浮体部材は同心円の環状円柱を一定の角度で分割したブロック環状円柱であることを特徴とする請求項１４記載の海上浮体構造物或いは洋上浮体構造物である。
請求項１８記載海上浮体構造物或いは洋上浮体構造物は、前記ブロック環状円柱は円柱の直形が大きくなると一定の角度を小さくし小さなブロック環状円柱の外形の外側に同じ内径を有する大きなブロック環状円柱を配置することにより多数容器状浮体部材を構成することを特徴とする請求項１７記載の海上浮体構造物或いは洋上浮体構造物である。
請求項１９記載海上浮体構造物或いは洋上浮体構造物は、小さなブロック環状円柱の外形の外側に同じ内径を有する大きなブロック環状円柱を配置することを繰り返すことにより多数容器状浮体部材を構成することを特徴とする請求項１７記載の海上浮体構造物或いは洋上浮体構造物である。
請求項２０記載海上浮体構造物或いは洋上浮体構造物は、底部に淡水を内在し、前記淡水の上部に空気を内在する浮体部材（例えば、浮体箱体、浮体中空箱体、浮体中空袋体或いは浮体中空膜体）と、前記浮体部材の上部に上部構造体を有すると共に海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）と、前記浮体部材の前記淡水をくみ上げる手段を具備し、前記海中中空部材の浮力により前記上部貫通部材を介して前記上部浮体構造体の重量を支えることを特徴とし海上浮体住宅或いは洋上浮体住宅を構成する。
請求項２１記載海上浮体構造物或いは洋上浮体構造物は、底部に淡水を内在し、前記淡水の上部に空気を内在するブロック状浮体部材（例えば、浮体箱体、浮体中空箱体、浮体中空袋体或いは浮体中空膜体）と、前記ブッロク状浮体部材の多数で構成された多数浮体部材と、前記多数浮体部材の上部に上部構造体を有すると共に海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）と、前記多数浮体部材の前記淡水をくみ上げる手段を具備し、前記海中中空部材の浮力により前記上部貫通部材を介して前記上部浮体構造体の重量を支えることを特徴とし海上浮体人工島、海上浮体都市、洋上浮体人工島或いは洋上浮体都市を構成する。
請求項２２記載海上浮体構造物或いは洋上浮体構造物は、海中に通ずる垂直開口を具備する浮体周辺部材（例えば、浮体周辺箱体、浮体周辺中空箱体、浮体周辺中空袋体或いは浮体周辺中空膜体）と、前記浮体周辺部材の上部に位置する上部構造体を有すると共に前記浮体周辺部材の周辺部を貫通する下部貫通部材を有する上部浮体構造体と、前記垂直開口を貫通する上部貫通部材を具備すると共に前記垂直開口より大きな外形を有する下部中空部材を具備する海中中空部材（例えば海中中空箱体、海中中空袋体、或いは海中中空膜体）とを備え、前記海中中空部材の前記上部貫通部材を介して前記海中中空部材の浮力により前記上部浮体構造体の重量を支えることを特徴とする。
請求項２３記載海上浮体構造物或いは洋上浮体構造物は、ブロック状浮体周辺部材（例えば、浮体周辺箱体、浮体周辺中空箱体、浮体周辺中空袋体或いは浮体周辺中空膜体）と、前記ブロック状浮体周辺部材の多数により構成され海中に通ずる垂直開口を具備する多数浮体周辺部材と、前記多数浮体周辺部材の上部に位置する上部構造体を有すると共に前記多数浮体周辺部材の周辺部を貫通する下部貫通部材を有する上部浮体構造体と、前記垂直開口を貫通する上部貫通部材を具備すると共に前記垂直開口より大きな外形を有する下部中空部材を具備する海中中空部材（例えば海中中空箱体、海中中空袋体、或いは海中中空膜体）とを備え、前記海中中空部材の前記上部貫通部材を介して前記海中中空部材の浮力により前記浮体周辺部材の上部に位置する前記上部浮体構造体の重量を支えることを特徴とする。
請求項２４記載海上浮体構造物或いは洋上浮体構造物は、海中に通ずる垂直開口を具備する複数に分割された小さな環状ブロック状浮体周辺部材と、前記小さな環状ブロック状浮体周辺部材の周囲部により貫通される開口を有し複数に分割された大きな環状ブロック状浮体周辺部材で前記多数海上周辺浮体部材を構成すること特徴とする請求項２３記載の海上浮体構造物或いは洋上浮体構造物である。
請求項２５記載海上浮体構造物或いは洋上浮体構造物は、海中に通ずる垂直開口を具備する複数に分割された小さな環状ブロック状浮体周辺部材と、前記小さな環状ブロック状浮体周辺部材の周辺部により貫通される開口を有し複数に分割された大きな環状ブロック状浮体周辺部材と、前記大きな環状ブロック状浮体周辺部材の周辺部により貫通される開口を有する更に大きな環状ブロック状浮体周辺部材を配置することを繰り返すことにより多数海上浮体部材を構成することを特徴とする請求項２３記載の海上浮体構造物或いは洋上浮体構造物である。
請求項２６記載海上浮体構造物或いは洋上浮体構造物は、海中に通ずる垂直開口を具備する複数個の正方形で構成された小さな環状ブロック状浮体周辺部材と、前記小さな環状ブロック状浮体周辺部材の周辺部により貫通される開口を有する前記大きな環状ブロック状浮体周辺部材或いは複数個の正方形で構成される前記小さな環状ブロック状浮体周辺部材、前記大きな環状ブロック状浮体周辺部材、前記更に大きな環状ブロック状海上浮体周辺部材により前記多数海上浮体部材を構成することを特徴とする請求項２４或いは請求項２５記載の海上浮体構造物或いは洋上浮体構造物である。
請求項２７記載海上浮体構造物或いは洋上浮体構造物は、前記環状ブロック状浮体周辺部材は同心円の環状円柱を一定の角度で分割したブロック状環状円柱であることを特徴とする請求項２３記載の海上浮体構造物或いは洋上浮体構造物
である。
請求項２８記載海上浮体構造物或いは洋上浮体構造物は、前記ブロック状環状円柱は円柱の直径が大きくなると一定の角度を小さくし小さなブロック環状円柱の外形の外側に同じ内径を有する大きなブロック状環状円柱を配置することにより多数浮体周辺部材を構成することを特徴とする請求項２４記載の海上浮体構造物或いは洋上浮体構造物である。
請求項２９記載海上浮体構造物或いは洋上浮体構造物は、小さなブロック環状円柱の外形の外側に同じ内径を有する大きなブロック環状円柱を配置することを繰り返すことにより大規模多数浮体周辺部材を構成することを特徴とする請求項２５記載の海上浮体構造物或いは洋上浮体構造物である。
請求項３０記載海上浮体構造物或いは洋上浮体構造物は、海中に通ずる垂直開口を具備する浮体周辺部材（例えば、浮体周辺箱体、浮体周辺中空箱体、浮体周辺中空袋体或いは浮体周辺中空膜体）と、前記浮体周辺部材の上部に位置する上部構造体を有すると共に前記浮体周辺部材の周辺部を貫通する下部貫通部材を有する上部浮体構造体と、前記垂直開口を貫通する上部貫通部材を具備すると共に前記垂直開口より大きな外形を有し底部に淡水を内在し前記淡水の上部に空気を内在する下部中空部材を具備する海中中空部材（例えば海中中空箱体、海中中空袋体、或いは海中中空膜体）と、前記海中中空部材の前記淡水をくみ上げる手段を具備し、前記海中中空部材の前記上部貫通部材を介して前記海中中空部材の浮力により前記上部浮体構造体を支えることを特徴とし、海上浮体住宅或いは洋上浮体住宅を構成する。
請求項３１記載海上浮体構造物或いは洋上浮体構造物は、ブロック状浮体周辺部材（例えば、浮体周辺箱体、浮体周辺中空箱体、浮体周辺中空袋体或いは浮体周辺中空膜体）と、前記ブロック状浮体周辺部材の多数により構成され海中に通ずる垂直開口を具備する多数浮体周辺部材と、前記多数浮体周辺部材の上部に位置する上部構造体を有すると共に前記多数浮体周辺部材の周辺部を貫通する下部貫通部材を有する上部浮体構造体と、前記垂直開口を貫通する上部貫通部材を具備すると共に前記垂直開口より大きな外形を有し底部に淡水を内在し前記淡水の上部に空気を内在する下部中空部材を具備する海中中空部材（例えば海中中空箱体、海中中空袋体、或いは海中中空膜体）と、前記海中中空部材の前記淡水をくみ上げる手段を具備し、前記海中中空部材の前記上部貫通部材を介して前記海中中空部材の浮力により前記上部浮体構造体を支えることを特徴とし海上浮体人工島、海上浮体都市、洋上浮体人工島或いは洋上浮体都市を構成する。
請求項３２記載海上浮体構造物或いは洋上浮体構造物は、底部に淡水或るいは海水を内在し、前記淡水或るいは前記海水の上部に空気を内在する浮体部材（例えば、浮体箱体、浮体中空箱体、浮体中空袋体或いは浮体中空膜体）と、風車を有する風力発電装置を前記浮体部材の上部に備えると共に海中の一定の深さまで垂直開口を有する海中下部貫通管を備えた風力発電浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記風力発電浮体構造体の重量を支えることを特徴する。
請求項３３記載海上浮体構造物或いは洋上浮体構造物は、海中に通ずる垂直開口を具備する浮体周辺部材（例えば、浮体周辺箱体、浮体周辺中空箱体、浮体周辺中空袋体或いは浮体周辺中空膜体）と、前記浮体周辺部材の上部に位置し風車を有する風力発電装置を備えると共に前記浮体周辺部材の周辺部を貫通する下部貫通部材を有する風力発電浮体構造体と、前記垂直開口を貫通する上部貫通部材を具備すると共に前記垂直開口より大きな外形を有する下部中空部材を具備する海中中空部材（例えば海中中空箱体、海中中空袋体、或いは海中中空膜体）と、前記海中中空部材の前記上部貫通部材を介して前記海中中空部材の浮力により前記風力発電浮体構造体を支えることを特徴とする。
請求項３４記載海上浮体構造物或いは洋上浮体構造物は、底部に淡水を内在し前記淡水の上部に空気を内在する円柱形浮体部材（例えば、円柱形浮体中空箱体、円柱形浮体中空袋体或いは円柱形浮体中空膜体）と、最上部開口を有する上部球形ドームと前記最上部開口に取り付けられた海上と平行に回転する風車を有する風力発電装置を前記円柱形浮体部材の上部に備えると共に前記円柱形浮体部材の周囲により貫通され海中の一定の深さまで垂直開口を有する海中下部貫通管を備えた風力発電浮体構造体と、前記海中下部貫通管を海中で貫通する上部貫通部材を有すると共に下部に下部中空部材を備えた海中中空部材（例えば、中空箱体、中空袋体、又は中空膜体）とが前記円柱形浮体部材の上下に備えられ、前記海中中空部材の浮力により前記上部貫通部材を介して前記風力発電浮体構造体の重量を支えることを特徴とし風力発電浮体構造物を構成する。
請求項３５記載海上浮体構造物或いは洋上浮体構造物は、底部に淡水を内在し、前記淡水の上部に空気を内在する円柱形浮体部材（例えば、円柱形浮体中空箱体、円柱形浮体中空袋体或いは円柱形浮体中空膜体）と、前記円柱形浮体部材の下端部と接触する下端部接触部材を有すると共に前記円柱形浮体部材の周辺部により貫通される上部貫通管を有する海中構造物と、中心部に中心部開口を有する上部水平天井部を備えた下部部分円錐形ドームと前記中心部開口に取り付けられ海上と平行に回転する風車を有する風力発電装置を前記円柱形浮体部材の上部に備える共に前記上部貫通管の周囲により貫通され海中の一定の深さまで垂直開口を有する海中下部貫通管を備えた風力発電浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記風力発電浮体構造体の重力を支えることを特徴とし風力発電浮体構造を構成する。
請求項３６記載海上浮体構造物或いは洋上浮体構造物は、底部に淡水を内在し、前記淡水の上部に空気を内在する円柱形浮体部材（例えば、円柱形浮体中空箱体、円柱形浮体中空袋体或いは円柱形浮体中空膜体）と、最上部開口を有すると共に両端部に切り欠き部を有する上半部球形ドーム風洞と前記上半部球形ドーム風洞内で前記最上部開口に取り付けられた海上と垂直に回転する風車を有する風力発電装置を前記円柱形浮体部材の上部に備えると共に前記円柱形浮体部材の周囲により貫通され海中の一定の深さまで垂直開口を有する海中下部貫通管を備えた風力発電浮体構造体と、前記海中下部貫通管を海中で貫通する上部貫通部材を有すると共に下部に下部中空部材を備えた海中中空部材（例えば、中空箱体、中空袋体、又は中空膜体）とが前記円柱形浮体部材の上下に備えられ、前記海中中空部材の浮力により前記上部貫通部材を介して前記風力発電浮体構造体の重量を支えることを特徴とし風力発電浮体構造物を構成する。
請求項３７記載海上浮体構造物或いは洋上浮体構造物は、前記上部球形ドームの前記最上部開口を除外した上部球形ドーム外部に太陽電池パネルを取り付けたことを特徴とする請求項３４記載の海上浮体構造物或いは洋上浮体構造物である。
請求項３８記載海上浮体構造物或いは洋上浮体構造物は、前記中心部開口を有する上部水平天井部を備えた前記下部一部円錐形ドームの前記中心部開口を除外した前記上部水平天井部、前記下部一部円錐形ドームの外部に太陽電池パネルを取り付けたことを特徴とする請求項３５記載の海上浮体構造物或いは洋上浮体構造物である。
請求項３９記載海上浮体構造物或いは洋上浮体構造物は、前記上半球形ドームの前記最上部開口を除外した前記上半球形ドーム外部に太陽電池パネルを取り付けたことを特徴とする請求項３６記載の海上浮体構造体である。
請求項４０記載海上浮体構造物或いは洋上浮体構造物は、前記上部浮体構造体の上部の一部が土で構成された農地で構成することを特徴とする請求項２０、請求項２１、請求項３０、或いは請求項３１記載の海上浮体構造物或いは洋上浮体構造物である。
請求項４１記載海上浮体構造物或いは洋上浮体構造物は、前記上部浮体構造体の上部の一部が植物育成床で構成することを特徴とする請求項２０、請求項２１、請求項３０或いは請求項３２記載の海上浮体構造物或いは洋上浮体構造物である。
請求項４２記載海上浮体構造物或いは洋上浮体構造物は、前記浮体部材、前記多数浮体部材、前記容器状浮体部材、前記容器状多数浮体部材、前記浮体周辺部材、前記多数浮体周辺部材或いは前記円柱状浮体部材が津波を防止するための高さを有することを特徴とする前記請求項記載の海上浮体構造物或いは洋上浮体構造物である。
【発明を実施するための形態】
【０００５】
本発明による海上或いは洋上の浮体建造物の第一の実施形態は、海上或いは洋上の浮体部材（例えば、浮体中空箱体、浮体中空袋体或いは浮体中空膜体）は底部に海水又は淡水を内在し、前記海水又は前記淡水の上部に空気を内在する。前記浮体部材の上部に上部構造体を有すると共に前記浮体部材の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）とが前記浮体部材の上下に備えられ、前記海中中空部材の浮力により前記上部貫通部材を介して前記上部浮体構造体の重量を支える。
【０００６】
前記上部浮体構造体の重量は前記海中中空部材の浮力より小さく、前記浮体部材に内在する前記海水又は前記淡水の重量は前記前記海中中空部材の
浮力と前記上部浮体構造体の重量の差より大きいことが望ましい。
前記浮体部材の高さは津波の浸入を防止するための高さ（例えば、５メートルから１０メートル）であることが望ましい。
前記海中中空部材は前記上部貫通部材及び前記下部中空部材が前記海中下部貫通管を海中で貫通することが望ましい。
淡水の比重は海水の比重より小さいので前記浮体部材に淡水を内在すれば、前記浮体部材は確実に海で浮体となるが、海水を内在しても上部に空気を内在しているので海で浮体となる。
また前記浮体部材に淡水を内在すれば、前記淡水を利用して人が生活可能で野菜等植物栽培も可能であり、海上或いは洋上の浮体住宅、海上或いは洋上の浮体灯台、海上或いは洋上の浮体都市、海上或いは洋上の浮体人工島等として本願発明を利用できる。
また海上或いは洋上の自然エネルギーを利用することにより海上或いは洋上の浮体風力発電装置、海上或いは洋上の浮体太陽光発電装置、海上或いは洋上の浮体波力発電装置、海上或いは洋上の酸素発生装置等、地球温暖化防止に本願発明は貢献可能である。
なお前記浮体部材の外形は円柱形、直方体形、楕円柱形等任意の形状が可能である。
また前記浮体部材は中空ではなく海上或いは洋上の浮体部材であっても本願発明の要旨の範囲である。
【０００７】
本願発明の第一の実施形態の一実施例は、前記浮体部材（例えば、浮体中空箱体、浮体中空袋体或いは浮体中空膜体）は海水又は淡水を内在するブロック状浮体部材（例えば、ブロック状浮体箱体、ブロック状浮体中空箱体、ブロック状浮体中空袋体或いはブロック状浮体中空膜体）と分割可能であり、前記ブロック状浮体部材の多数により多数浮体部材を構成し、前記多数浮体部材の上部に上部構造体を有すると共に前記多数浮体部材の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）とが前記多数浮体部材の上下に備えられ、前記海中中空部材の浮力により前記上部貫通部材を介して前記上部浮体構造体の重量を支える。
なお前記多数浮体部材の外形は円柱形、直方体形、楕円柱形等任意の形状が可能であり、前記多数浮体部材の周囲は前記上部浮体構造体の前記海中下部貫通管を貫通しているので、前記多数浮体部材は固定される。
【０００８】
またブロック状中央浮体部材と、前記ブロック状中央浮体部材の周辺部により貫通される開口を有し複数に分割された小さな環状ブロック状浮体部材と、前記小さな環状ブロック状浮体部材の周囲部により貫通される開口を有し複数に分割された大きな環状ブロック状浮体部材で前記多数浮体部材を構成することは本願発明の第一の実施形態の一実施例である。
【０００９】
また前記ブロック状中央浮体部材と、前記ブロック状中央浮体部材の周辺部により貫通される開口を有し複数に分割された小さな環状ブロック状浮体部材と、前記小さな環状ブロック状浮体部材の周辺部により貫通される開口を有し複数に分割された大きな環状ブロック状浮体部材と、前記大きな環状ブロック状浮体部材の周辺部により貫通される開口を有し複数に分割された更に大きな環状ブロック状浮体部材を配置することを繰り返すことにより多数浮体部材を構成することにより、海上或いは洋上の浮体都市、海上或いは洋上の浮体人工島として実施可能であり、本願発明の第一の実施形態の一実施例である。
【００１０】
さらに、整数の二乗個の正方形或いは複数個の正方形で構成される正方形或いは長方形のブロック状中央浮体部材と、前記ブロック状中央浮体部材の周辺部により貫通される開口を有し複数個の正方形で構成される前記小さな環状ブロック状浮体部材、前記大きな環状ブロック状浮体部材或いは複数個の正方形で構成される前記小さな環状ブロック状浮体部材、前記大きな環状ブロック状浮体部材、前記更に大きな環状ブロック状浮体部材により前記多数浮体部材を構成すること本願発明の第一の実施形態の一実施例である。
【００１１】
また前記ブロック状中央浮体部材は円柱であり、小さな環状ブロック状浮体部材と大きな環状ブロック状浮体部材は同心円の環状円柱を一定の角度で分割したブロック環状円柱で前記多数浮体部材を構成することは本願発明の第一の実施形態の一実施例である。
【００１２】
また前記ブロック環状円柱は円柱の直形が大きくなると一定の角度を小さくし小さなブロック環状円柱の外形の外側に同じ内径を有する大きなブロック環状円柱を配置することにより前記多数浮体部材を構成することは本願発明の第一の実施形態の一実施例である。
【００１３】
また小さなブロック環状円柱の外形の外側に同じ内径を有する大きなブロック環状円柱を配置することを繰り返すことにより大規模多数浮体部材を構成することは本願発明の第一の実施形態の一実施例である。
【００１４】
本発明による海上或いは洋上の浮体建造物の第二の実施形態は、底部に海水又は淡水を内在し、前記海水又は前記淡水の上部に空気を内在する浮体部材（例えば、浮体中空箱体、浮体中空袋体或いは浮体中空膜体）を具備える。前記浮体部材の下端部と接触する下端部接触部材を有すると共に前記浮体部材の周辺部により貫通される上部貫通管を有する海中構造物と、前記浮体部材の上部に上部構造体を有すると共に前記上部貫通管の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材及び前記下端部接触部材を介して前記上部浮体構造体の重力を支える。
【００１５】
前記上部浮体構造体の重量は前記海中中空部材の浮力より小さく、前記浮体部材に内在する前記海水又は前記淡水の重量は前記前記海中中空部材の
浮力と前記上部浮体構造体の重量の差より大きいことが望ましい。
前記浮体部材の高さは津波の浸入を防止するための高さ（例えば、５メートルから１０メートル）であることが望ましい。
前記海中中空部材は前記上部貫通部材及び前記下部中空部材が前記海中下部貫通管を海中で貫通することが望ましい。
淡水の比重は海水の比重より小さいので前記浮体部材に淡水を内在すれば、前記浮体部材は確実に海で浮体となるが、海水を内在しても上部に空気を内在しているので海で浮体となる。
また前記浮体部材に淡水を内在すれば、前記淡水を利用して人が生活可能で野菜等植物栽培も可能であり、海上或いは洋上の浮体住宅、海上或いは洋上の浮体灯台、海上或いは洋上の浮体都市、海上或いは洋上の浮体人工島等として本願発明を利用できる。
また海上或いは洋上の自然エネルギーを利用することにより海上或いは洋上の浮体風力発電装置、海上或いは洋上の浮体太陽光発電装置、海上或いは洋上の浮体波力発電装置、海上或いは洋上の酸素発生装置等、地球温暖化防止に本願発明は貢献可能である。
なお前記浮体部材の外形は円柱形、直方体形、楕円柱形等任意の形状が可能である。
また前記浮体部材は中空ではなく海上或いは洋上の浮体部材であっても本願発明の要旨の範囲である。
【００１６】
本願発明の第二の実施形態の一実施例は、前記浮体部材（例えば、浮体中空箱体、浮体中空袋体或いは浮体中空膜体）はブロック状浮体部材（例えば、ブロック状浮体箱体、ブロック状浮体中空箱体、ブロック状浮体中空袋体或いはブロック状浮体中空膜体）と分割可能であり、前記ブロック状浮体部材の多数により多数浮体部材を構成し、前記多数浮体部材の下端部と接触する下端部接触部材を有すると共に前記多数浮体部材の周辺部により貫通される上部貫通管を有する海中構造物と、前記多数浮体部材の上部に上部構造体を有すると共に前記上部貫通管の周囲により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支える。
なお前記多数浮体部材の外形は円柱形、直方体形、楕円柱形等任意の形状が可能であり、前記多数浮体部材の周囲は前記上部浮体構造体の前記海中下部貫通管を貫通しているので、前記多数浮体部材は固定される。
【００１７】
またブロック状中央浮体部材と、前記ブロック状中央浮体部材の周辺部により貫通される開口を有し複数に分割された小さな環状ブロック状浮体部材と、前記小さな環状ブロック状浮体部材の周囲部により貫通される開口を有し複数に分割された大きな環状ブロック状浮体部材で前記多数浮体部材を構成することは本願発明の第二の実施形態の一実施例である。
【００１８】
また前記ブロック状中央浮体部材と、前記ブロック状中央浮体部材の周辺部により貫通される開口を有し複数に分割された小さな環状ブロック状浮体部材と、前記小さな環状ブロック状浮体部材の周辺部により貫通される開口を有し複数に分割された大きな環状ブロック状浮体部材と、前記大きな環状ブロック状浮体部材の周辺部により貫通される開口を有し複数に分割された更に大きな環状ブロック状浮体部材を配置することを繰り返すことにより多数浮体部材を構成することにより、海上或いは洋上の浮体都市、海上或いは洋上の浮体人工島として実施可能であり、本願発明の第二の実施形態の一実施例である。
【００１９】
さらに、整数の二乗個の正方形或いは複数個の正方形で構成される正方形或いは長方形のブロック状中央浮体部材と、前記ブロック状中央浮体部材の周辺部により貫通される開口を有し複数個の正方形で構成される前記小さな環状ブロック状浮体部材、前記大きな環状ブロック状浮体部材或いは複数個の正方形で構成される前記小さな環状ブロック状浮体部材、前記大きな環状ブロック状浮体部材、前記更に大きな環状ブロック状浮体部材により前記多数浮体部材を構成すること本願発明の第二の実施形態の一実施例である。
【００２０】
また前記ブロック状中央浮体部材は円柱であり、小さな環状ブロック状浮体部材と大きな環状ブロック状浮体部材は同心円の環状円柱を一定の角度で分割したブロック環状円柱で前記多数浮体部材を構成することは本願発明の第二の実施形態の一実施例である。
【００２１】
また前記ブロック環状円柱は円柱の直形が大きくなると一定の角度を小さくし小さなブロック環状円柱の外形の外側に同じ内径を有する大きなブロック環状円柱を配置することにより前記多数浮体部材を構成することは本願発明の第二の実施形態の一実施例である。
【００２２】
また小さなブロック環状円柱の外形の外側に同じ内径を有する大きなブロック環状円柱を配置することを繰り返すことにより大規模多数浮体部材を構成することは本願発明の第二は本願発明の第一の実施形態の一実施例である。
【００２３】
本発明による海上或いは洋上の浮体建造物の第三の実施形態は、少なくとも上端部の一部に開口を有し底部に海水又は淡水を内在すると共に前記海水又は前記淡水の上部に空気を内在する容器状浮体部材（例えば、容器状浮体箱体、或いは容器状浮体膜体）を具備する。
前記容器状浮体部材の上端部と接触する上端部接触部材と上部に上部構造体を有すると共に前記容器状浮体部材の周辺部により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支える。
【００２４】
前記上部浮体構造体の重量は前記海中中空部材の浮力より小さく、前記容器状浮体部材に内在する前記海水又は前記淡水の重量は前記海中中空部材の浮力と前記上部浮体構造体の重量の差より大きいことが望ましい。
前記容器状浮体部材の高さは津波の浸入を防止するための高さ（例えば、５メートルから１０メートル）であることが望ましい。
前記海中中空部材は前記上部貫通部材及び前記下部中空部材が前記海中下部貫通管を海中で貫通することが望ましい。
淡水の比重は海水の比重より小さいので前記容器状浮体部材に淡水を内在すれば、前記容器状浮体部材は確実に海で浮体となるが、海水を内在しても上部に空気を内在しているので海で浮体となる。
また前記容器状浮体部材に淡水を内在すれば、前記淡水を利用して人が生活可能で野菜等植物栽培も可能であり、海上或いは洋上の浮体住宅、海上或いは洋上の浮体灯台、海上或いは洋上の浮体都市、海上或いは洋上の浮体人工島等として本願発明を利用できる。
また海上或いは洋上の自然エネルギーを利用することにより海上或いは洋上の浮体風力発電装置、海上或いは洋上の浮体太陽光発電装置、海上或いは洋上の浮体波力発電装置、海上或いは洋上の酸素発生装置等、地球温暖化防止に本願発明は貢献可能である。
なお前記容器状浮体部材の外形は円柱形、直方体形、楕円柱形等任意の形状が可能である。
【００２５】
本願発明の第三の実施形態の一実施例は、前記容器状浮体部材（例えば、容器状浮体中空箱体、容器状浮体中空袋体或いは容器状浮体中空膜体）が海水又は淡水を内在するブロック状容器状浮体部材（例えば、ブロック状容器状浮体箱体、ブロック状容器状浮体中空箱体、ブロック状容器状浮体中空袋体或いはブロック状容器状浮体中空膜体）と分割可能であり、前記ブロック状容器状浮体部材の多数により多数容器状浮体部材を構成する。
前記多数容器状浮体部材と、前記多数容器状浮体部材の上端部と接触する上端部接触部材と上部に上部構造体を有すると共に前記多数容器状浮体部材の周辺部により貫通され海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記上部浮体構造体の重量を支える。
なお前記多数容器状浮体部材の周囲は前記上部浮体構造体の前記海中下部貫通管を貫通しているので、前記多数容器状浮体部材の周囲は固定される。また前記多数容器状浮体部材の外形は円柱形、直方体形、楕円柱形等任意の形状が可能である。
【００２６】
ブロック状中央容器状浮体部材と、前記ブロック状中央容器状浮体部材の周辺部により貫通される開口を有し複数に分割された小さな環状ブロック状容器状浮体部材と、前記小さな環状ブロック状容器状浮体部材の周囲部により貫通される開口を有し複数に分割された大きな環状ブロック状容器状浮体部材で前記多数容器状浮体部材を構成することは本願発明の第三の実施形態の一実施例である。
【００２７】
ブロック状中央容器状浮体部材と、前記ブロック状中央容器状浮体部材の周辺部により貫通される開口を有し複数に分割された小さな環状ブロック状容器状浮体部材と、前記小さな環状ブロック状容器状浮体部材の周辺部により貫通される開口を有し複数に分割された大きな環状ブロック状容器状浮体部材と、前記大きな環状ブロック状容器状浮体部材の周辺部により貫通される開口を有する更に大きな環状ブロック状容器状浮体部材を配置することを繰り返すことにより多数浮体部材を構成することは本願発明の第三の実施形態の一実施例である。
【００２８】
整数の二乗個の正方形或いは複数個の正方形で構成される正方形或いは長方形のブロック状中央容器状浮体部材と、前記ブロック状中央容器状浮体部材の周辺部により貫通される開口を有し複数個の正方形で構成される前記小さな環状ブロック状容器状浮体部材、前記大きな環状ブロック状容器状浮体部材或いは複数個の正方形で構成される前記小さな環状ブロック状容器状浮体部材、前記大きな環状ブロック状容器状浮体部材、前記更に大きな環状ブロック状容器状浮体部材により前記多数浮体部材を構成することは本願発明の第三の実施形態の一実施例である。
【００２９】
前記ブロック状中央容器状浮体部材は円柱であり、小さな環状ブロック状容器状浮体部材と大きな環状ブロック状容器状浮体部材は同心円の環状円柱を一定の角度で分割したブロック環状円柱であることは本願発明の第三の実施形態の一実施例である。
【００３０】
前記ブロック環状円柱は円柱の直形が大きくなると一定の角度を小さくし小さなブロック環状円柱の外形の外側に同じ内径を有する大きなブロック環状円柱を配置することにより多数容器状浮体部材を構成することは本願発明の第三の実施形態の一実施例である。
【００３１】
小さなブロック環状円柱の外形の外側に同じ内径を有する大きなブロック環状円柱を配置することを繰り返すことにより大規模多数容器状浮体部材を構成することは本願発明の第三の実施形態の一実施例である。
【００３２】
本発明による海上或いは洋上の浮体建造物の第四の実施形態は、海中に通ずる垂直開口を具備する浮体周辺部材（例えば、浮体周辺箱体、浮体周辺中空箱体、浮体周辺中空袋体或いは浮体周辺中空膜体）と、前記浮体周辺部材の上部に位置する上部構造体と前記浮体周辺部材の周囲を貫通する下部貫通管を有する上部浮体構造体と、前記垂直開口を貫通する上部貫通部材を具備すると共に前記垂直開口より大きな外形を有する下部中空部材を具備する海中中空部材（例えば海中中空箱体、海中中空袋体、或いは海中中空膜体）と、前記海中中空部材の前記上部貫通部材を介して前記海中中空部材の浮力により前記浮体周辺部材の上部に位置する前記上部浮体構造体を支える。
【００３３】
前記上部浮体構造体の重量は前記海中中空部材の浮力より小さい。
前記浮体周辺部材に前記海水又は前記淡水内在させて前記浮体周辺部材の重量を前記海中中空部材の浮力と前記上部浮体構造体の重量の差より大きくすることが望ましい。
前記浮体周辺部材の高さは津波の浸入を防止するための高さ（例えば、５メートルから１０メートル）であることが望ましい。
前記海中中空部材は前記下部中空部材が前記上部浮体構造体の前記下部貫通管を海中で貫通することが望ましい。
淡水の比重は海水の比重より小さいので前記浮体周辺部材に淡水を内在すれば、前記浮体周辺部材は確実に海で浮体となるが、海水を内在しても上部に空気を内在しているので海で浮体となる。
また前記浮体周辺部材に淡水を内在すれば、前記淡水を利用して人が生活可能で野菜等植物栽培も可能であり、海上或いは洋上の浮体住宅、海上或いは洋上の浮体灯台、海上或いは洋上の浮体都市、海上或いは洋上の浮体人工島等として本願発明を利用できる。
また海上或いは洋上の自然エネルギーを利用することにより海上或いは洋上の浮体風力発電装置、海上或いは洋上の浮体太陽光発電装置、海上或いは洋上の浮体波力発電装置、海上或いは洋上の酸素発生装置等、地球温暖化防止に本願発明は貢献可能である。
なお前記浮体周辺部材の外形は円柱形、直方体形、楕円柱形等任意の形状が可能である。
【００３４】
本願発明の第四の実施形態の一実施例は、ブロック状浮体周辺部材（例えば、浮体周辺箱体、浮体周辺中空箱体、浮体周辺中空袋体或いは浮体周辺中空膜体）と、前記ブロック状浮体周辺部材の多数により構成され海中に通ずる垂直開口を具備する多数浮体周辺部材と、前記多数浮体周辺部材の上部に位置する上部構造体と前記多数浮体周辺部材の周囲を貫通する下部貫通管を有する上部浮体構造体と、前記垂直開口を貫通する上部貫通部材を具備すると共に前記垂直開口より大きな外形を有する下部中空部材を具備する海中中空部材（例えば海中中空箱体、海中中空袋体、或いは海中中空膜体）と、前記海中中空部材の前記上部貫通部材を介して前記海中中空部材の浮力により前記上部浮体構造体を支える。
なお前記多数浮体周辺部材の周囲は前記上部浮体構造体の前記下部貫通管を貫通しているので、前記多数容器状浮体部材は固定される。
また前記多数浮体周辺部材の外形は円柱形、直方体形、楕円柱形等任意の形状が可能である。
【００３５】
複数に分割された小さな環状ブロック状浮体周辺部材と、前記小さな環状ブロック状浮体周辺部材の周囲部により貫通される開口を有し複数に分割された大きな環状ブロック状浮体周辺部材で海中に通ずる垂直開口を具備する前記多数周辺浮体部材を構成することは本願発明の第四の実施形態の一実施例である。
【００３６】
複数に分割された小さな環状ブロック状浮体周辺部材と、前記小さな環状ブロック状浮体周辺部材の周辺部により貫通される開口を有し複数に分割された大きな環状ブロック状浮体周辺部材と、前記大きな環状ブロック状浮体周辺部材の周辺部により貫通される開口を有する更に大きな環状ブロック状浮体周辺部材を配置することを繰り返すことにより海中に通ずる垂直開口を具備する多数浮体部材を構成することは本願発明の第四の実施形態の一実施例である。
【００３７】
複数個の正方形で構成された小さな環状ブロック状浮体周辺部材と前記小さな環状ブロック状浮体周辺部材の周辺部により貫通される開口を有する前記大きな環状ブロック状浮体部材或いは複数個の正方形で構成される前記小さな環状ブロック状浮体部材、前記大きな環状ブロック状浮体部材、前記更に大きな環状ブロック状浮体部材により海中に通ずる垂直開口を具備する前記多数浮体部材を構成することは本願発明の第四の実施形態の一実施例である。
【００３８】
前記環状ブロック状浮体周辺部材は同心円の環状円柱を一定の角度で分割したブロック状環状円柱であることは本願発明の第四の実施形態の一実施例である。
【００３９】
前記ブロック状環状円柱は円柱の直径が大きくなると一定の角度を小さくし小さなブロック環状円柱の外形の外側に同じ内径を有する大きなブロック状環状円柱を配置することにより浮体周辺部材を構成するは本願発明の第四の実施形態の一実施例である。
【００４０】
小さなブロック環状円柱の外形の外側に同じ内径を有する大きなブロック環状円柱を配置することを繰り返すことにより大規模多数浮体周辺部材を構成することは本願発明の第四の実施形態の一実施例である。
【実施例１】
【００４１】
本発明による海上浮体住宅或いは洋上浮体住宅を構成する第一の実施例は、底部に淡水を内在し、前記淡水の上部に空気を内在する浮体部材（例えば、浮体箱体、浮体中空箱体、浮体中空袋体或いは浮体中空膜体）と、前記浮体部材の上部に上部構造体を有すると共に前記浮体部材の周辺部を貫通し海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）と、前記浮体部材の前記淡水をくみ上げる手段を具備し、前記海中中空部材の浮力により前記上部貫通部材を介して前記上部浮体構造体の重量を支える。
【００４２】
第一の実施例は前記浮体部材に内在される前記淡水をくみ上げる手段を備えているので、前記上部浮体構造体の上部に農地或いは植物育成床を設ければ野菜等の栽培し可能であり海上浮体住宅或いは洋上浮体住宅として人間が生活可能である。
なお、前記浮体部材の高さは海上での津波の浸入を防止するための高さ（例えば、５メートルから１０メートル）が望ましい。
【実施例２】
【００４３】
本発明による海上或いは洋上の浮体建造物の第二の実施例は、底部に淡水を内在し、前記淡水の上部に空気を内在するブロック状浮体部材（例えば、＃浮体箱体、浮体中空箱体、浮体中空袋体或いは浮体中空膜体）と、前記ブッロク状浮体部材の多数で構成された多数浮体部材と、前記多数浮体部材の上部に上部構造体を有すると共に前記多数浮体部材の周辺部を貫通し海中の一定の深さまで垂直開口を有する海中下部貫通管を備えた上部浮体構造体と、前記海中下部貫通管を海中で貫通する上部貫通部材を有すると共に下部に下部中空部材を備えた海中中空部材（例えば、中空箱体、中空袋体、又は中空膜体）と、前記多数浮体部材の前記淡水をくみ上げる手段を具備し、前記海中中空部材の浮力により前記上部貫通部材を介して前記上部浮体構造体の重量を支えることを特徴とし、海上浮体人工島、海上浮体都市、洋上浮体人工島或いは洋上浮体都市を構成する。
【００４４】
ブロック状浮体部材により任意の大規模な多数浮体部材を構成することが可能であるので、海上浮体人工島、海上浮体都市、洋上浮体人工島或いは洋上浮体都市が第二の実施例により実現できる。
第二の実施例は前記多数浮体部材に内在される前記淡水をくみ上げる手段を備えているので、前記上部浮体構造体の上部に農地或いは植物育成床を設ければ野菜等の栽培し可能であり海上浮体人工島、海上浮体都市、洋上浮体人工島或いは洋上浮体都市として人間が生活可能である。
なお、前記多数浮体部材の高さは海上での津波の浸入を防止するための高さ（例えば、５メートルから１０メートル）が望ましい。
【実施例３】
【００４５】
本発明による海上或いは洋上の浮体建造物の第三の実施例は、海上或いは洋上の円柱形浮体部材（例えば、円柱形浮体中空箱体、円柱形浮体中空袋体或いは円柱形浮体中空膜体）は底部に淡水を内在し、前記淡水の上部に空気を内在する。最上部開口を有する上部球形ドームと前記最上部開口に取り付けられた海上と平行に回転する風車を有する風力発電装置を前記円柱形浮体部材の上部に備えると共に前記円柱形浮体部材の周囲により貫通され海中の一定の深さまで垂直開口を有する海中下部貫通管を備えた風力発電浮体構造体と、前記海中下部貫通管を海中で貫通する上部貫通部材を有すると共に下部に下部中空部材を備えた海中中空部材（例えば、中空箱体、中空袋体、又は中空膜体）とが前記円柱形浮体部材の上下に備えられ、前記海中中空部材の浮力により前記上部貫通部材を介して前記風力発電浮体構造体の重量を支える。
【００４６】
海上と平行に回転する前記風車は前記上部球形ドームの上昇気流によって風の方向がいずれであっても回転可能である。
前記海中中空部材の下端部には前記風力発電装置の電力を送電する送電線が別設の風力発電浮体構造物と船舶の運航に支障がないようにゆるめて備えられ、最終的には地上に送電される。
また前記風力発電装置の電力を水素発生装置により水素に変換することも可能である。
前記円柱形浮体部材の底部には淡水を内在し、前記淡水の上部に空気を内在する。
前記円柱形浮体部材の高さは海上での津波の浸入を防止するための高さ（例えば、５メートルから１０メートル）が望ましく、円柱の半径は１０メートル程度が望ましい。前記海中中空部材は前記風力発電浮体構造物の重量を支えるため海中の一定の深さ（１０メートルから２０メートル）が望ましい。
なお前記円柱形浮体部材の底部には淡水を内在しているので、前記風力発電浮体構造体を洋上浮体構造物とし前記淡水を輸出することもできる。また前記風力発電浮体構造体は灯りを備えて洋上浮体灯台構造物としても利用可能である。
前記上部球形ドームの前記最上部開口を除外した上部球形ドーム外部に太陽電池パネルを取り付け風力及び太陽光発電浮体構造物として実施することも可能である。
【実施例４】
【００４７】
底部に淡水を内在し、前記淡水の上部に空気を内在する海上或いは洋上の円柱形浮体部材（例えば、円柱形浮体中空箱体、円柱形浮体中空袋体或いは円柱形浮体中空膜体）を具備える。前記円柱形浮体部材の下端部と接触する下端部接触部材を有すると共に前記円柱形浮体部材の周辺部により貫通される上部貫通管を有する海中構造物と、中心部に中心部開口を有する上部水平天井部を備えた下部一部円錐形ドームと前記中心部開口に取り付けられ海上と平行に回転する風車を有する風力発電装置を前記円柱形浮体部材の上部に備える共に前記上部貫通管の周囲により貫通され海中の一定の深さまで垂直開口を有する海中下部貫通管を備えた風力発電浮体構造体と、前記海中下部貫通管を海中で貫通する上部貫通部材を有すると共に下部に下部中空部材を備えた海中中空部材（例えば、中空箱体、中空袋体、又は中空膜体）を具備し、前記海中中空部材の浮力により前記上部貫通部材を介して前記風力発電浮体構造体の重力を支える。
【００４８】
海上と平行に回転する前記風車は前記下部分円錐形ドームの上昇気流によって風の方向がいずれであっても回転可能であり、上部水平天井部を備えた下部一部円錐形ドームであるので風車の周辺部に上昇気流が上昇する。
前記海中中空部材の下端部には前記風力発電装置の電力を送電する送電線が別設の風力発電浮体構造体と船舶の運航に支障がないように備えられ、最終的には地上に送電される。
また前記風力発電装置の電力を水素発生装置により水素に変換することも可能である。
前記円柱形浮体部材の底部には淡水を内在し、前記淡水の上部に空気を内在する。前記円柱形浮体部材の高さは海上での津波の浸入を防止するための高さ（例えば、５メートルから１０メートル）が望ましく、円柱の半径は１０メートル程度が望ましい。前記海中中空部材は前記風力発電浮体構造物の重量を支えるため海中の一定の深さ（１０メートルから２０メートル）が望ましい。
また前記風力発電浮体構造体は灯りを備えて洋上浮体灯台構造物としても利用可能である。
前記下部一部円錐形ドーム前記中心部開口を除外した前記一部円錐形ドーム外部に太陽電池パネルを取り付け風力及び太陽光発電浮体構造体として実施することも可能である。
【実施例５】
【００４９】
本発明による海上或いは洋上の浮体建造物の第一の実施例は、海上或いは洋上の円柱形浮体部材（例えば、円柱形浮体中空箱体、円柱形浮体中空袋体或いは円柱形浮体中空膜体）は底部に淡水を内在し、前記淡水の上部に空気を内在する。最上部開口を有すると共に両端部に切り欠き部を有する上半部球形ドーム風洞と前記上半部球形ドーム風洞内で前記最上部開口に取り付けられた海上と垂直に回転する風車を有する風力発電装置を前記円柱形浮体部材の上部に備えると共に前記円柱形浮体部材の周囲により貫通され海中の一定の深さまで垂直開口を有する海中下部貫通管を備えた風力発電浮体構造体と、前記海中下部貫通管を海中で貫通する上部貫通部材を有すると共に下部に下部中空部材を備えた海中中空部材（例えば、中空箱体、中空袋体、又は中空膜体）とが前記円柱形浮体部材の上下に備えられ、前記海中中空部材の浮力により前記上部貫通部材を介して前記風力発電浮体構造体の重量を支える。
【００５０】
海上と垂直に回転する前記風車は前記上半部球形ドーム風洞内の風により回転可能である。
なお前記上半部球形ドーム風洞の上半部球形ドーム外側で最上部開口に風力計を備えて、上半部球形ドーム風洞が前記円柱形浮体部材の周囲を風の方向により回転する構成にすることは可能である。
前記海中中空部材の下端部には前記風力発電装置の電力を送電する送電線が別設の風力発電浮体構造物と船舶の運航に支障がないように備えられ、最終的には地上に送電される。また前記風力発電装置の電力を水素発生装置により水素に変換することも可能である。
前記円柱形浮体部材の高さは海上での津波の浸入を防止するための高さ（例えば、５メートルから１０メートル）が望ましく、円柱の半径は１０メートル程度が望ましい。前記海中中空部材は前記風力発電浮体構造物の重量を支えるため海中の一定の深さ（１０メートルから２０メートル）が望ましい。
なお前記円柱形浮体部材の底部には淡水を内在しているので、前記風力発電浮体構造体を洋上浮体構造物とし前記淡水を輸出することもできる。
また前記風力発電浮体構造物は灯りを備えて洋上浮体灯台構造物としても利用可能である。
最上部開口を有すると共に両端部に切り欠き部を有する前記上半部球形ドーム風洞の前記最上部開口を除外した上半部球形ドーム外部に太陽電池パネルを取り付け風力及び太陽光発電浮体構造物として実施することも可能である。